(57)【要約】  固定電話をワイヤレスネットワークに接続し、そのサービスを使用することを可能にする加入者識別モジュール（ＳＩＭ）使用可能アナログ電話アダプタ（ＡＴＡ）装置、すなわちアナログ電話アダプタ用のＳＩＭカードをプログラミングおよび／または活動化するシステムおよび方法。システムは、ＳＩＭ使用可能ＡＴＡモジュールを活動化および／またはプログラミングすることができる。さらに、ワイヤレスネットワークと通信する移動局が設けられ、それによって活動化／プログラミング構成要素は、ネットワークを介してＳＩＭ使用可能モジュールをプログラミングおよび／または活動化することにより、ＳＩＭ−ＡＴＡ装置の機能を可能にする。別々の構成要素は、ＳＩＭ−ＡＴＡモジュールの活動化およびプログラミングを実施することができる。ＳＩＭ−ＡＴＡ装置は、ＳＩＭカードが事前プログラミングされるとき、事前プログラミングされたデータを認証センタに送ることによってそのＳＩＭカードを活動化することができる。別の実施形態では、移動局は、ネットワークからトークンを受信し、それがＳＩＭ−ＡＴＡ装置に通信され、ＳＩＭ−ＡＴＡ装置は、トークン有効性をチェックした後、ＳＩＭカードを活動化する。異なる実施形態では、移動局は、いくつかのＳＩＭソケットを備え、そこにＳＩＭ−ＡＴＡ装置用のＳＩＭをプラグ接続し、ネットワークを介して活動化することができる。別の実施形態は、移動局のＳＩＭをＳＩＭ−ＡＴＡ装置のＳＩＭと置き換え、活動化を実施することを可能にする。
2008521279.tif 000002
【特許請求の範囲】
【請求項１】
加入者識別モジュール（ＳＩＭ）使用可能アナログ電話アダプタ（ＡＴＡ）装置の活動化および／またはプログラミングを実施するシステムであって、
ネットワークを介してデータを通信する入出力構成要素と、
ネットワークを介して受信されたデータを少なくとも使用することによってＳＩＭ使用可能ＡＴＡモジュールをプログラミングする第１構成要素と、
前記ネットワークを介して前記ＳＩＭ使用可能ＡＴＡモジュールを活動化する第２構成要素と
を備えることを特徴とするシステム。
【請求項２】
前記ネットワークはインターネットであることを特徴とする請求項１に記載のシステム。
【請求項３】
前記ネットワークはセルラネットワークであることを特徴とする請求項１に記載のシステム。
【請求項４】
セルラネットワークからトークンを受信するトークントランシーバをさらに備え、前記トークンは、前記第１構成要素のうちの少なくとも１つが前記モジュールをプログラミングすることを可能にし、第２構成要素が前記モジュールを活動化することを可能にすることを特徴とする請求項１に記載のシステム。
【請求項５】
前記トークンが、前記トークントランシーバによって加入者の移動体通信装置から得られ、前記移動体通信装置は、前記セルラネットワークから前記トークンを受信することを特徴とする請求項４に記載のシステム。
【請求項６】
加入者の要求時、前記移動体通信装置が前記ネットワークへの同時接続を有するときに自動的に、および前記ＳＩＭ使用可能ＡＴＡモジュールが前記移動体通信装置に結合されるときのうちの少なくとも１つで、前記トークンが、前記セルラネットワークによって送信されることを特徴とする請求項４に記載のシステム。
【請求項７】
前記トークンが、トークントランシーバによって近距離無線周波数（ＲＦ）信号を介して受信されることを特徴とする請求項４に記載のシステム。
【請求項８】
前記トークンは、限定された有効期間を有することを特徴とする請求項４に記載のシステム。
【請求項９】
前記有効期間が、前記トークンに関連するタイムスタンプと、満了時間に関係する前記トークンに含まれるデータのうちの少なくとも１つに基づいて求められることを特徴とする請求項８に記載のシステム。
【請求項１０】
前記ＳＩＭ使用可能ＡＴＡモジュールと通信するインターフェース構成要素をさらに備えることを特徴とする請求項１に記載のシステム。
【請求項１１】
前記インターフェース構成要素は、移動体通信装置に結合された複数のＳＩＭソケットを含むことを特徴とする請求項１０に記載のシステム。
【請求項１２】
移動体通信装置のＳＩＭカードはＳＩＭソケットのうちの１つと係合し、ＳＩＭ使用可能ＡＴＡモジュールは前記ＳＩＭソケットの別のものと係合することを特徴とする請求項１１に記載のシステム。
【請求項１３】
データが、前記移動体通信装置の前記ＳＩＭカードのメモリから前記ＳＩＭ使用可能ＡＴＡモジュールのメモリに転送されることを特徴とする請求項１１に記載のシステム。
【請求項１４】
前記インターフェース構成要素は移動体通信装置のＳＩＭソケットであり、前記移動体通信装置の前記ＳＩＭカードがＳＩＭ使用可能ＡＴＡモジュールで置き換えられることを特徴とする請求項１０に記載のシステム。
【請求項１５】
前記ネットワーク上に格納されたソフトウェアは、ＳＩＭ使用可能ＡＴＡモジュールをプログラミングすることを特徴とする請求項１に記載のシステム。
【請求項１６】
前記第１構成要素上に格納されたソフトウェアは、前記ＳＩＭ使用可能ＡＴＡモジュールをプログラミングすることを特徴とする請求項１に記載のシステム。
【請求項１７】
前記データは、トークン、ユーザ名、電話番号、固有識別番号、アカウント番号、ＩＰアドレス、装置番号、命令、着信音、スキン、電話帳情報、請求情報、およびアドレス帳情報のうちの少なくとも１つを含むことを特徴とする請求項１に記載のシステム。
【請求項１８】
活動化およびプログラミングのうちの少なくとも１つに対して使用される追加のデータを得る情報構成要素をさらに備えることを特徴とする請求項１に記載のシステム。
【請求項１９】
ＳＩＭ使用可能ＡＴＡ装置の活動化を実施する方法であって、
装置特有のデータで事前プログラミングされるＳＩＭ使用可能ＡＴＡモジュールを設けること、
ＳＩＭ使用可能ＡＴＡモジュールをＳＩＭ使用可能ＡＴＡ装置に挿入すること、および
事前プログラミングされたデータを活動化センタに送信することによってＳＩＭ使用可能ＡＴＡ装置を活動化すること
を含むことを特徴とする方法。
【請求項２０】
ＳＩＭ使用可能ＡＴＡ装置の活動化および／またはプログラミングの方法であって、
モバイル装置をワイヤレスシステムに接続すること、
前記モバイル装置を介してワイヤレスシステムからトークンをダウンロードすること、
前記トークンを前記ＳＩＭ使用可能ＡＴＡ装置に通信すること、および
前記ＳＩＭ使用可能ＡＴＡ装置を活動化すること
を含むことを特徴とする方法。
【請求項２１】
前記モバイル装置が前記トークンを得ることに応答して、前記ＳＩＭ使用可能ＡＴＡ装置をプログラミングすることをさらに含むことを特徴とする請求項２０に記載の方法。
【請求項２２】
事前プログラミングされたＳＩＭ使用可能ＡＴＡ装置を使用することをさらに含むことを特徴とする請求項２０に記載の方法。
【請求項２３】
前記トークンが満了したかどうかを判定することをさらに含むことを特徴とする請求項２０に記載の方法。
【請求項２４】
前記トークンが満了した場合、活動化を防止することをさらに含むことを特徴とする請求項２３に記載の方法。
【請求項２５】
前記トークンが有効である場合、前記ＳＩＭ使用可能ＡＴＡ装置を活動化することをさらに含むことを特徴とする請求項２３に記載の方法。
【請求項２６】
前記トークンが、近距離ＲＦ技法を介してＳＩＭ使用可能ＡＴＡ装置に搬送されることを特徴とする請求項２０に記載の方法。
【請求項２７】
ＳＩＭ使用可能ＡＴＡ装置の活動化および／またはプログラミングの方法であって、
複数のＳＩＭソケットと、前記ＳＩＭソケットのうちの１つに結合されるＳＩＭカードとを含むモバイル装置を設けること、
ＳＩＭ使用可能ＡＴＡモジュールを前記ＳＩＭソケットのうちの別のものと結合すること、および
モバイル装置が通信するネットワークを介して、ＳＩＭ使用可能ＡＴＡモジュールを活動化させること
を含むことを特徴とする方法。
【請求項２８】
前記ＳＩＭ使用可能ＡＴＡモジュールを、前記ＳＩＭソケットに結合中にプログラミングすることをさらに含むことを特徴とする請求項２７に記載の方法。
【請求項２９】
前記モバイル装置の前記ＳＩＭカード上に格納されたデータで前記ＳＩＭ使用可能ＡＴＡモジュールをプログラミングすることをさらに含むことを特徴とする請求項２８に記載の方法。
【請求項３０】
前記ネットワーク上に常駐するソフトウェアを使用して、前記ＳＩＭ使用可能ＡＴＡをプログラミングすることをさらに含むことを特徴とする請求項２８に記載の方法。
【請求項３１】
前記ＳＩＭソケットから前記ＳＩＭ使用可能ＡＴＡモジュールを取り外すこと、および
前記ＳＩＭ使用可能ＡＴＡモジュールを前記ＳＩＭ使用可能ＡＴＡ装置と結合し、前記ＳＩＭ使用可能ＡＴＡ装置の使用を実施すること
をさらに含むことを特徴とする請求項２７に記載の方法。
【請求項３２】
前記ＳＩＭ使用可能ＡＴＡ装置からデータを抽出し、前記モジュールの活動化を実施することをさらに含むことを特徴とする請求項２７に記載の方法。
【請求項３３】
ＳＩＭ使用可能ＡＴＡ装置の活動化および／またはプログラミングを実施する方法であって、
モバイル装置に単一のＳＩＭソケットを設けること、
前記モバイル装置のＳＩＭをＳＩＭ使用可能ＡＴＡモジュールで置き換えること、
ネットワークからダウンロードしたデータを介してＳＩＭ使用可能ＡＴＡモジュールをプログラミングすること、
前記モバイル装置および前記ネットワークを使用してＳＩＭ使用可能ＡＴＡモジュールを活動化すること
を含むことを特徴とする方法。
【請求項３４】
前記ＳＩＭソケットから前記ＳＩＭ使用可能ＡＴＡモジュールを取り外し、前記ＳＩＭ使用可能ＡＴＡモジュールを前記ＳＩＭ使用可能ＡＴＡ装置に結合することをさらに含むことを特徴とする請求項３２に記載の方法。
【請求項３５】
プログラミングおよび活動化のうちの少なくとも１つが、前記ＳＩＭ使用可能ＡＴＡ装置で未完了であるかどうかを判定することをさらに含むことを特徴とする請求項３４に記載の方法。
【請求項３６】
プログラミングおよび活動化のうちの少なくとも１つが未完了であると判定された場合、追加のデータをセルラネットワークに供給することをさらに含むことを特徴とする請求項３５に記載の方法。
【請求項３７】
前記追加の情報は、ＩＰアドレスおよびＳＩＭ使用可能ＡＴＡ装置装置番号のうちの少なくとも１つを含むことを特徴とする請求項３６に記載の方法。
【請求項３８】
プログラミングの前に前記ＳＩＭ使用可能ＡＴＡモジュールを検証することをさらに含むことを特徴とする請求項３２に記載の方法。
【請求項３９】
ＳＩＭ使用可能ＡＴＡ装置の活動化および／またはプログラミングを実施するシステムであって、
ＳＩＭ使用可能ＡＴＡモジュールをプログラミングする手段と、
前記ＳＩＭ使用可能ＡＴＡモジュールを活動化する手段と
をさらに備えることを特徴とするシステム。
【発明の詳細な説明】
【技術分野】
【０００１】
本発明は加入者の家および／またはビジネスにローカルワイヤレス通信を提供することに関し、より詳細には、そのようなワイヤレス通信を可能にする装置と共に使用される加入者識別モジュールをプログラミングおよび／または活動化するシステムおよび方法に関する。
【背景技術】
【０００２】
携帯電話システムは、単純な直接音声通信を超える様々なサービスおよび機能を含む。かつては珍しく高価であったが、移動体通信装置は今や、大部分の人が少なくとも１つ所有しているほど一般的なものとなっている。携帯電話は、ユーザがほぼどんな所からでも通信することを可能にする。
【０００３】
今日の多くのセルラシステムは、セルラ加入、サービス、課金を認証するため、およびその他の目的に使用される加入者識別モジュール（「ＳＩＭ」カード）またはユニバーサルＳＩＭ（「Ｕ／ＳＩＭ」カード）を備える。こうした技術は集合的にＵ／ＳＩＭと表される。Ｕ／ＳＩＭカードは通常、ユーザが取外し可能な形状因子であり、それにより、様々なタイプおよび世代の移動体通信装置（例えばセルラフォン）を通じてモバイル加入情報およびデータを持ち運ぶことが可能となる。
【０００４】
Ｕ／ＳＩＭカードは、マイクロプロセッサおよびメモリを収容するマイクロチップを含む。カードは、音声通信およびデータ通信を暗号化し、呼出し時に「盗聴する」ことをほぼ不可能にする数学的アルゴリズムを格納する。Ｕ／ＳＩＭはまた、モバイルネットワークに対してユーザを正当な呼出し元と識別する。モバイルハンドセットとＵ／ＳＩＭカードとの間のインターフェースは完全に標準化され、第３世代ハンドセットおよびＵ／ＳＩＭに代わる仕様が既に存在している。
【０００５】
移動体通信装置と共に利用することに加えて、Ｕ／ＳＩＭカードをアナログ電話アダプタ（ＡＴＡ）と共に使用することができ、Ｖｏｉｃｅ  ｏｖｅｒ  ＩＰ（ＶｏＩＰ）を介して電話をセルラネットワークに結合することができる。ＳＩＭ使用可能ＡＴＡ装置（以後ＳＩＭ−ＡＴＡと呼ぶ）は一般に、顧客加入情報でプログラミングされるＳＩＭを必要とする。ＳＩＭ−ＡＴＡ装置を加入者の家および／またはオフィスで利用することができ、ＳＩＭ−ＡＴＡ装置は、セルカバレッジが潜在的使用エリア内に達せず、十分な信号強度を与えることができないときに有用である可能性がある。
【発明の開示】
【課題を解決するための手段】
【０００６】
本発明のいくつかの態様の基本的理解を与えるために本発明の単純化した概要を以下で提示する。この概要は本発明の広範な概観ではない。本発明の重要な／不可欠な要素を特定し、または本発明の範囲を詳述することは意図されない。その唯一の目的は、後に提示するより詳細な説明の前置きとして、単純化した形の本発明のいくつかの概念を提示することである。
【０００７】
本明細書で開示および主張される本発明は、その一態様において、加入者識別モジュール（ＳＩＭ）使用可能アナログ電話アダプタ（ＡＴＡ）装置をプログラミングおよび／または活動化するシステムおよび方法に関する。より具体的には、ＳＩＭ使用可能ＡＴＡモジュールを活動化および／またはプログラミングする構成要素が提供される。さらに、ネットワークと通信する構成要素が提供され、それによって活動化／プログラミング構成要素が、ネットワークを介してＳＩＭ使用可能モジュールをプログラミングおよび／または活動化することにより、ＳＩＭ−ＡＴＡ装置の機能を使用可能にできる。本発明の一態様によれば、別々の構成要素が、ＳＩＭ−ＡＴＡモジュールの活動化およびプログラミングを実施することができる。
【０００８】
本発明の別の態様では、インターネットなどのグローバル通信ネットワークにワイヤレスに接続することによってＳＩＭ−ＡＴＡ装置を活動化するアーキテクチャが提供される。
【０００９】
本発明のさらに別の態様では、トークンを使用してＳＩＭ−ＡＴＡ装置が活動化および／またはプログラミングされる。加入者モバイル装置（例えばセルラフォン）がセルラネットワークに接続されている間、加入者モバイル装置はセルラネットワークからトークンを取得する。モバイル装置は、近距離ＲＦを介してＳＩＭ−ＡＴＡ装置にトークンを送信できる（かつ／または逆も同様である）。ＳＩＭ−ＡＴＡ装置はトークンを使用して、インターネットを介して活動化および／またはプログラミングを要求する。限定された有効期間を有するようにトークンを構成することができるので、セルラネットワークは、限定された時間枠の間にトークンを認識することができる。期間が満了した後、トークンは無効となり、ＳＩＭ−ＡＴＡは活動化されない。
【００１０】
本発明のさらに別の態様では、モバイル装置が２つ（または３つ以上）のＳＩＭソケットを提供する場合、モバイル装置の空きＳＩＭソケットにＳＩＭ−ＡＴＡモジュールを挿入することができる。モバイル装置および／またはセルラネットワーク内のソフトウェアは、電話中にＳＩＭ−ＡＴＡモジュールをプログラミングすることができる。これにより、ＳＩＭ−ＡＴＡ装置内にＳＩＭ書込み回路を含める問題が回避される。近距離ＲＦを利用して、ＩＰアドレスなどの情報をＡＴＡ装置から抽出することができる。
【００１１】
本発明の別の態様では、電話が単一のＳＩＭソケットを含む場合、既に活動化されたＳＩＭを電話から取り外し、ＳＩＭ−ＡＴＡモジュールを挿入することができる。モバイル装置のＳＩＭに関するプロセスと同様にモジュールをプログラミングおよび／または活動化することができる。次いで、ＳＩＭ−ＡＴＡモジュールをモバイル装置から取り外し、ＳＩＭ−ＡＴＡ装置に挿入することができる。
【００１２】
本発明の別の態様では、追加の情報がＳＩＭ−ＡＴＡモジュールにプログラムされた後に追加の情報をセルラネットワークにレポートすることにより、ＳＩＭ−ＡＴＡモジュールがＳＩＭソケットに結合された後に、ＳＩＭ−ＡＴＡ装置を使用して、活動化プロセスを終了させることができる。例えば、装置ＩＰアドレスならびにＳＩＭ−ＡＴＡ装置番号を送信することができる。
【００１３】
上記の目的および関連する目的を達成するために、本発明のいくつかの例示的態様を以下の説明および添付の図面と共に本明細書で説明する。しかし、こうした態様は、本発明の原理を利用することのできる様々な方式のうちのほんのいくつかを示すものであり、本発明はそのようなすべての態様およびその均等物を含むものとする。本発明の他の利点および新規な特徴は、以下の本発明の詳細な説明を図面と共に考慮するときに明らかとなる。
【発明を実施するための最良の形態】
【００１４】
これから、全体を通して同様の要素を参照するのに同様の参照番号が使用される図面を参照しながら本発明を説明する。以下の説明では、説明の都合上、本発明の完全な理解を与えるために多数の特定の詳細を説明する。しかし、こうした特定の詳細なしに本発明を実施できることは明らかである。別の例では、本発明を説明するのを容易にするために周知の構造および装置がブロック図形式で示される。
【００１５】
本願では、「構成要素」および「システム」は、コンピュータ関連の実体、すなわちハードウェア、ハードウェアとソフトウェアの組合せ、ソフトウェア、または実行中のソフトウェアを指すものとする。例えば、構成要素は、限定はしないが、プロセッサ上で実行中のプロセス、プロセッサ、オブジェクト、実行可能ファイル、実行のスレッド、プログラム、および／またはコンピュータでよい。例えば、モバイルコンピューティング装置内で実行中のアプリケーションとモバイルコンピューティング装置のどちらも構成要素となることができる。１つまたは複数の構成要素がプロセスおよび／または実行のスレッド内に常駐することができ、構成要素は、１つのコンピュータ上に局在化することができ、かつ／または２つ以上のコンピュータ間に分散することができる。
【００１６】
次に図１を参照すると、ＳＩＭ使用可能アナログ電話アダプタ（ＡＴＡ）装置（以後ＳＩＭ−ＡＴＡと呼ぶ）と共に使用される加入者識別モジュール（ＳＩＭ）（例えば、ＳＩＭ、Ｕ／ＳＩＭ．．．）を活動化および／またはプログラミングするシステム１００が示されている。システム１００は、入出力（Ｉ／Ｏ）構成要素１１０および活動化／プログラミング構成要素１２０を備える。Ｉ／Ｏ構成要素１１０は、ＳＩＭ−ＡＴＡ（例えばＳＩＭ−ＡＴＡモジュール）と共に使用されるＳＩＭの活動化および／またはプログラミングに関係するデータを受信および／または送信する。活動化／プログラミング構成要素１２０は、ＳＩＭ−ＡＴＡモジュールなどの装置を活動化および／またはプログラミングする。
【００１７】
Ｉ／Ｏ構成要素１１０によって受信および／または送信されるデータは、例えばトークン、ユーザ名、電話番号、固有識別番号、アカウント番号、ＩＰアドレス、装置番号、命令、着信音、スキン、電話帳情報、アドレス帳情報、その他のデータなどでよい。Ｉ／Ｏ構成要素１１０は、データを自動的に受信することができ、したがってデータの受信により、活動化／プログラミング構成要素１２０がウェイクアップする。本発明の別の態様によれば、Ｉ／Ｏ構成要素１１０は、信号を送信し、それに応答して送り返されるデータを待機することができる。
【００１８】
多数のソースからデータを受信することができ、多数のソースにデータを送信することができる。例えば、インターネット、送電塔、セルラネットワーク、衛星、広域ネットワーク（ＷＡＮ）、ローカルエリアネットワーク（ＬＡＮ）、ワイヤレス通信装置（例えばモバイル装置、セルラフォン、ラップトップコンピュータ、ハンドヘルドコンピュータ、ＰＤＡ、．．．）、ＧＰＳ装置、その他の装置（例えばＳＩＭ−ＡＴＡ）、ＳＩＭ（例えばＳＩＭ−ＡＴＡモジュール、Ｕ／ＳＩＭ）、ゲートウェイ、ケーブルモデム、ＤＳＬモデム、Ｔ１接続などのグローバル通信ネットワークからデータを得ることができ、またはグローバル通信ネットワークにデータを送ることができる。有線通信技法および／またはワイヤレス通信技法を介してデータを送信または受信することができる。本発明では、例えば無線周波数（ＲＦ）、赤外線（ＩＲ）、光、Ｂｌｕｅｔｏｏｔｈなどの任意のワイヤレス技術の使用が企図される。別の例では、Ｅｔｈｅｒｎｅｔ（登録商標）（例えば１０Ｂａｓｅ−Ｔ、１００Ｂａｓｅ−Ｔ（Ｆａｓｔ  Ｅｔｈｅｒｎｅｔ（登録商標））および１０００Ｂａｓｅ−Ｔ（Ｇｉｇａｂｉｔ  Ｅｔｈｅｒｎｅｔ（登録商標））、ユニバーサルシリアルバス（ＵＳＢ）、ＦｉｒｅＷｉｒｅ（ＩＥＥＥ１３９４）、従来型通信ポート（例えばシリアルおよびパラレル）などの有線技術を使用することができる。さらに、または別法として、Ｉ／Ｏ構成要素１１０は、バス、ワイヤ、ワイヤレストランシーバなどの、活動化／プログラミング構成要素１２０にデータを供給し、または活動化／プログラミング構成要素１２０からデータを受信するハードウェアでよい。
【００１９】
本発明の一態様によれば、Ｉ／Ｏ構成要素１１０によって受信されるデータは、暗号化され、符号化され、圧縮され、変調され、エンベロープ内に格納されたパケットなどでよい。さらに、データは、デジタル信号および／またはアナログ信号でよい。Ｉ／Ｏ構成要素１１０および／または活動化／プログラミング構成要素１２０は、データを抽出し、追加のデータを追加し、関連するデータを識別し、ユーザおよび／または装置に照会することなどができる。
【００２０】
データはＩ／Ｏ構成要素１１０によって活動化／プログラミング構成要素１２０に搬送され、活動化／プログラミング構成要素１２０はデータを使用して、ＳＩＭ−ＡＴＡと共に使用されるＳＩＭを活動化および／またはプログラミングする。ＳＩＭカード（例えばＳＩＭ、Ｕ／ＳＩＭ、．．．）は、マイクロプロセッサおよびメモリを収容するマイクロチップを含む。カードは、音声伝送およびデータ伝送を暗号化する数学的アルゴリズムを格納する。さらに、ＳＩＭは、モバイルネットワークに対してユーザを正当な呼出し元と識別する。したがって、活動化／プログラミング構成要素１２０は、ＳＩＭのメモリ内に保持される顧客の加入情報の収集および格納を実施する。さらに、活動化／プログラミング構成要素１２０は、ＳＩＭ−ＡＴＡ装置が動作可能となるようにＳＩＭを活動化することができる。活動化／プログラミング構成要素１２０は、大気を介するＳＩＭの活動化および／またはプログラミング実施することができ、したがって、加入者は、加入者の家、オフィスなどでＳＩＭ−ＡＴＡを活動化および／またはプログラミングすることができる。
【００２１】
活動化／プログラミング構成要素１２０は、ハードウェア、ソフトウェア、ファームウェア、それらの組合せなどでよい。例えば、活動化／プログラミング構成要素１２０は、Ｉ／Ｏ構成要素１１０を介して得られたデータ（例えば、固有識別番号、アカウント番号、ユーザ名、電話番号、．．．）を使用して、動作のためにＳＩＭを構成するソフトウェアでよい。例えば、活動化／プログラミング構成要素は、ＳＩＭからのデータの読取り、ＳＩＭへのデータの書込みなどを実施することができる。データを、（例えばモバイル装置に対して使用される）活動化されたＳＩＭから読み取ることができ、かつ／またはネットワークから得ることができ、その後でＳＩＭ−ＡＴＡモジュールのメモリに書き込むことができる。さらに、活動化／プログラミング構成要素１２０は、信号をセルラネットワークに供給してＳＩＭおよび／またはＳＩＭ−ＡＴＡ装置を活動化することができる。したがって、例えば、活動化／プログラミング構成要素１２０は、ＳＩＭ−ＡＴＡのＩＰアドレス、加入者に関するアカウント番号、電話番号、ＳＩＭ−ＡＴＡ装置番号などのデータをセルラネットワークに供給して、ＳＩＭおよび／またはＳＩＭ−ＡＴＡを活動化することができる。さらに、または別法として、ＳＩＭ−ＡＴＡ装置は、そのようなデータをセルラネットワークに供給することができる。
【００２２】
活動化／プログラミング構成要素１２０は、モバイル装置、ＳＩＭ−ＡＴＡ装置、セルラネットワークの一部、またはそれらの組合せでよい。さらに、本発明は、１つの構成要素である活動化／プログラミング構成要素１２０に限定されず、例えば、活動化／プログラミング構成要素１２０は、ＳＩＭおよびＳＩＭ−ＡＴＡを活動化する別の構成要素をプログラミングする１つの構成要素を含むことができる。したがって、ＳＩＭは、ＳＩＭをプログラミングする活動化／プログラミング構成要素１２０の部分を含むモバイル装置を使用することによって事前プログラミングすることができる。その後で、ＳＩＭがＳＩＭ−ＡＴＡ装置に挿入されるとき、活動化を実施する活動化／プログラミング構成要素１２０の部分は、インターネットを介してＳＩＭ−ＡＴＡを活動化することができる。さらに、活動化／プログラミング構成要素１２０を使用することにより、インターネットを介してＳＩＭ−ＡＴＡモジュールを事前プログラミングおよび活動化することができる。
【００２３】
例えば、ＳＩＭは、デジタル通信ネットワーク、例えばセルラネットワークに対して顧客を一意に識別し、それによって少なくとも、顧客を識別し、利用されたサービスについて課金することができる。プログラミングおよび活動化されたＳＩＭをＳＩＭ−ＡＴＡと共に使用することができ、ＳＩＭ−ＡＴＡは、ＶｏＩＰ（ｖｏｉｃｅ  ｏｖｅｒ  ＩＰ）を介して電話をセルラネットワークに結合することができ、それによってセルラサービスプロバイダが代替通信サービスを提供することが可能となる。ｐｌａｉｎ  ｏｌｄ  ｔｅｌｅｐｈｏｎｅ  ｓｅｒｖｉｃｅ（ＰＯＴＳ）などの従来型電話サービスを使用する代わりに、加入者は、アナログ電話をＳＩＭ−ＡＴＡにプラグ接続し、セルラサービスプロバイダから電話サービスを受信することができ、従来型Ｌｏｃａｌ  Ｅｘｃｈａｎｇｅ  Ｃａｒｒｉｅｒの必要がなくなり、または低減される。ＳＩＭ−ＡＴＡは、信号をアナログからデジタルに変換し、逆も同様である。アナログ電話信号がデジタルに変換された後、インターネットプロトコル（ＩＰ）ベースのプロトコル（例えばＶｏＩＰ）を使用して、デジタルネットワークを介して電話呼を送信することができる。
【００２４】
活動化／プログラミング構成要素１２０は、セルラネットワークへの同時接続なしにＳＩＭをプログラミングおよび／または活動化することを実施することができる。さらに、活動化／プログラミング構成要素１２０は、（例えば別の加入者のアカウント情報を使用しようと偽って試みることによって）活動的セルラ登録なしに個人がＳＩＭ−ＡＴＡを活動化させることを試みる場合に、ＳＩＭの不正な活動化を緩和する。
【００２５】
図２を参照すると、本発明の一態様によるトークンを使用してＳＩＭ使用可能ＡＴＡ装置をプログラミングおよび／または活動化するシステム２００が示されている。システム２００は、Ｉ／Ｏ構成要素１１０および活動化／プログラミング構成要素１２０を備える。Ｉ／Ｏ構成要素１１０は、データを送信および／または受信することができ、通信は、例えばネットワーク（例えばセルラネットワーク、インターネット、．．．）を用いたものでよい。活動化／プログラミング構成要素１２０は、ＳＩＭ−ＡＴＡモジュールの活動化および／またはプログラミングを実施する。システム２００は、活動化／プログラミング構成要素１２０に結合されるトークントランシーバ２１０をさらに含む。トークントランシーバ２１０は、活動化／プログラミング構成要素１２０がＳＩＭの活動化および／またはプログラミングを開始することを可能にするトークンを受信することができる。例えば、トークントランシーバ２１０は、加入者のモバイル装置からトークンを受信することができ、加入者の装置がセルラネットワークに接続中に、加入者のモバイル装置はトークンを受信することができる。さらに、トークントランシーバ２１０は、モバイル装置を介してネットワークに信号を送ることができ、ネットワークがトークンを送信することを実施する。例えば加入者の要求時に、モバイル装置がセルラネットワークへの同時接続を有するとき、ＳＩＭ−ＡＴＡモジュールが活動化／プログラミング構成要素２１０に結合されるとき（以下のインターフェース構成要素３１０を参照）に、信号をトークントランシーバ２１０で自動的に送信することができる。本発明の一態様によれば、トークンは、限定された有効期間を有する。
【００２６】
トークントランシーバ２１０は、例えば、有線接続、ワイヤレス伝送、ポート、インターフェースなどの任意の通信手段によってモバイル装置と通信することができる。例えば、モバイル装置によって近距離ＲＦを介してトークンをトークントランシーバ２１０に送信することができる。本発明の一態様によれば、トークントランシーバ２１０、活動化／プログラミング構成要素１２０、およびＩ／Ｏ構成要素１１０はＡＴＡ内に常駐することができる。したがって、ＡＴＡは、トークントランシーバ２１０を使用することにより、近距離ＲＦを介してモバイル装置から送信されたトークンを得ることができる。あるいは、またはさらに、モバイル装置は、トークントランシーバ２１０、活動化／プログラミング構成要素１２０、および／またはＩ／Ｏ構成要素１１０を備えることができる。
【００２７】
トークンを活動化／プログラミング構成要素１２０に供給することができ、活動化／プログラミング構成要素１２０は、トークンおよび／または要求を送信することを介してＳＩＭの活動化および／またはプログラミングを要求し、セルラネットワークへのインターネット接続を介してＩ／Ｏ構成要素１１０でプログラミングおよび／または活動化を開始することができる。さらに、または別法として、トークンの受信は、活動化／プログラミング構成要素１２０に関するスイッチとして働くことができ、それによって、トークンの存在が、活動化／プログラミング構成要素１２０がオペレーションを開始することを可能にし、トークンの不在が、そのような動作を禁止する。
【００２８】
不正な活動化活動を緩和するために、限られた時間枠についてトークンを認識するようにセルラネットワークおよび／または活動化／プログラミング構成要素１２０を構成することができる。本発明では、加入者のモバイル装置がセルラネットワークに接続するエリア内にある間に加入者がトークンを得ることが可能となり、セルラネットワークへの同時接続を場合によっては有さないＳＩＭ−ＡＴＡの位置に移動するのに十分な時間枠を使用することが企図される。時間枠が満了した後、トークンは無効となり、ＳＩＭ−ＡＴＡを活動化することができない。本発明の一態様によれば、トークンがいつセルラネットワークによって搬送されたかに関するデータでトークンをタイムスタンプすることができ、活動化／プログラミング構成要素１２０は、どれほどの期間トークンが有効であるかに関するプリセット時間制限を有することができる。活動化／プログラミング構成要素１２０は、トークンを評価して、トークンが依然として有効であるかどうかを判定することができる。あるいは、ネットワークは、タイムスタンプ情報を使用して有効性を評価することができる。別の例によれば、トークンは、トークンがもはや有効でない時間に関するデータを含むことができる。
【００２９】
図３に、本発明の一態様によるＳＩＭ使用可能ＡＴＡのプログラミングおよび／または活動化を実施するシステム３００を示す。システム３００は、Ｉ／Ｏ構成要素１１０と、活動化／プログラミング構成要素１２０と、活動化／プログラミング構成要素１２０に結合されるインターフェース構成要素３１０とを含む。インターフェース構成要素３１０は、ＳＩＭ−ＡＴＡで使用されるＳＩＭと通信することができる。例えば、インターフェース構成要素３１０はＳＩＭソケットでよい。本発明の一態様によれば、モバイル装置は、ＳＩＭソケットまたは複数のＳＩＭソケットを備えることができる。本発明では、インターフェース構成要素３１０はＳＩＭカードと通信することのできる任意の装置、ポート、接続、および／またはインターフェースでよく、ＳＩＭソケットに限定されないことが企図される。
【００３０】
一例によれば、モバイル装置は、インターフェース構成要素３１０を含み、インターフェース構成要素３１０は２つのＳＩＭソケットでよい。モバイル装置で使用されるＳＩＭは、ＳＩＭソケットのうちの１つを占有することができ、ＳＩＭ−ＡＴＡに対するＳＩＭを空きの第２ＳＩＭソケットに挿入することができる。ＳＩＭ−ＡＴＡモジュールがＳＩＭソケットに挿入されている間、活動化／プログラミング構成要素１２０はモジュールのプログラミングを開始することができる。例えば、活動化／プログラミング構成要素１２０は、プログラミングデータの送信、データの要求、および／またはネットワークソフトウェアの使用を開始するようにネットワークに指示する信号をＩ／Ｏ構成要素１１０を介してネットワークに供給することができ、それに応答してモジュールをプログラミングする。さらに、または別法として、モバイル装置は、ＳＩＭをプログラミングすることのできるソフトウェアを含むことができる。例えば、モバイル装置またはネットワークソフトウェアは、装置のＳＩＭ上に格納されたデータまたはデータの一部をＳＩＭ−ＡＴＡモジュールに転送することができる。したがって、アカウント番号、請求情報、加入者名、電話番号などの情報を、ネットワークからＳＩＭ−ＡＴＡのＳＩＭに、および／または２つのＳＩＭカード間で提供することができる。モバイル装置のＳＩＭソケット内に位置する間にＳＩＭをプログラミングすることにより、ＳＩＭ書込み回路およびソフトウェアがＡＴＡ装置で不要である。
【００３１】
別の例として、モバイル装置は、１つのＳＩＭソケットを含むインターフェース構成要素３１０を含むことができる。モバイル装置に対する活動化されたＳＩＭをインターフェース構成要素３１０から取り外し、ＳＩＭ−ＡＴＡのＳＩＭを挿入することができる。それによって、モバイル装置のＳＩＭを活動化および／またはプログラミングする方式と同様に、ＳＩＭ−ＡＴＡのＳＩＭを活動化および／またはプログラミングすることができる。プログラミング時および／または活動化時、ＳＩＭ−ＡＴＡモジュールをインターフェース構成要素３１０から取り外し、ＳＩＭ−ＡＴＡ装置に挿入することができる。本発明の一態様によれば、ＳＩＭ−ＡＴＡのＳＩＭがインターフェース構成要素３１０と係合中に、ＳＩＭ−ＡＴＡのＳＩＭをプログラミングおよび活動化することができる。あるいは、ＳＩＭがインターフェース構成要素３１０に結合中にＳＩＭをプログラミングすることができ、追加のデータがＳＩＭ−ＡＴＡ内にプログラミングされた後に、ＳＩＭ−ＡＴＡは、追加のデータをセルラネットワークにレポートすることによって活動化を終了させることができる。例えば、ＳＩＭ−ＡＴＡはＩＰアドレス、ＳＩＭ−ＡＴＡ装置番号などを送ることができる。
【００３２】
図４を参照すると、ＳＩＭ−ＡＴＡ装置と共に使用されるＳＩＭをプログラミングおよび／または活動化するシステム４００が示されている。システム４００は、Ｉ／Ｏ構成要素１００、活動化／プログラミング構成要素１２０、およびインターフェース構成要素３１０を含む。さらに、システム４００は、ＳＩＭのプログラミング中および／または活動化中に追加のデータを得ることのできる情報収集構成要素４１０を備える。
【００３３】
本発明の一態様によれば、情報収集構成要素４１０はユーザインターフェース（例えば、ヒューマンマシンインターフェース、マウス、タッチスクリーン、キーボードなどの入力装置を備えるディスプレイ、またはモバイル装置入力、．．．）でよい。加入者は照会の提示を受け、それに応答してデータを与えることができる。例えば、ユーザ名、アカウント番号、および／またはパスワードを加入者に尋ねることができる。そのような情報の入力時に、活動化／プログラミング構成要素１２０はオペレーションを開始することができる。さらに、または別法として、ＳＩＭ−ＡＴＡに関連するパーソナライゼーションおよびプリファレンスに関するデータを入力し、または入力することを選択するようにユーザにプロンプトを出すことができる。
【００３４】
別の例として、情報収集構成要素はトランシーバでよい。ＳＩＭがインターフェース構成要素３１０と結合されるとき、情報収集構成要素４１０は、ＳＩＭ−ＡＴＡ装置などの他の装置から追加のデータを抽出することができる。一態様によれば、情報収集構成要素４１０は、近距離ＲＦを使用して他の装置からデータを抽出することができるが、本発明はそのような技法に限定されない。
【００３５】
次に図５を参照すると、ＳＩＭ−ＡＴＡ装置をプログラミングおよび／または活動化させるためにトークンを使用する方法５００のフローチャートが示されている。説明を簡単にするために、本明細書で例えばフローチャートの形式で示される１つまたは複数の方法を一連の動作として図示および説明するが、本発明によれば、ある動作は本明細書で図示および説明するのとは異なる順序で行うことができ、かつ／または他の動作と同時に行うことができるので、本発明は動作の順序によって限定されないことを理解されたい。例えば、別法として、方法を状態図などの一連の相互関連状態またはイベントとして表すことができることを当業者は理解されよう。さらに、本発明による方法を実施するのに、図示されるすべての動作が必要であるわけではないことがある。
【００３６】
５１０では、モバイル装置に、インターネットなどのワイヤレスネットワークを介して活動化するように事前プログラミングされたＳＩＭ−ＡＴＡモジュールが提供される。あるいは、方法５００を介してＳＩＭをプログラミングすることもでき、すなわち前もってプログラムされない。５２０では、モバイル装置がワイヤレスシステムに接続される（例えば、モバイル装置が十分な信号強度を受信する場所に加入者が移動し、モバイル装置をオンにし、．．．）。５３０では、ワイヤレスシステムは、トークンをモバイル装置にダウンロードする。例えば、モバイル装置からの要求時に（例えば、活動化／プログラミング構成要素１２０および／またはトークントランシーバ２１０によって開始され、ユーザが入力した要求を介して、．．．）、トークンを自動的に送信することができる。５４０では、モバイル装置はＳＩＭ−ＡＴＡモジュールとトークンを共有する。本発明の一態様によれば、モバイル装置は、近距離無線周波数（ＲＦ）伝送を介してトークンを送ることができる。５５０では、ＳＩＭ−ＡＴＡモジュールは、トークンを使用して活動化を要求する。さらに、または別法として、非プログラミングＳＩＭが本発明と共に使用される場合、ＳＩＭ−ＡＴＡモジュールは、ＳＩＭのプログラミングを要求することができる。ＳＩＭの活動化および／またはプログラミングを求める要求をワイヤレスシステム、活動化／プログラミング構成要素１２０などに対して行うことができる。５６０でトークンの有効性が評価される。具体的には、トークンを限られた時間枠に対して認識されるように構成することができるようになってから、トークンが満了したかどうかに関して判定が行われる。トークンが満了していない場合、５７０では、ＳＩＭ−ＡＴＡが活動化される。さらに、または別法として、ＳＩＭをプログラミングすることができる。トークンが満了している場合、５８０で活動化および／またはプログラミングが防止される。
【００３７】
図６を参照すると、本発明の一態様による２つのＳＩＭカードを使用するＳＩＭ使用可能ＡＴＡ装置をプログラミングおよび／または活動化する方法６００が示されている。６１０では、複数のＳＩＭソケットを備えるモバイル装置（例えばセルラフォン、ＰＤＡ、ラップトップコンピュータ、ハンドヘルドコンピュータ、．．．）が提供される。本発明では、任意の数のＳＩＭソケットの使用が企図され、本発明は２つのＳＩＭソケットを使用することに限定されない。さらに、本発明では、有線接続および／またはワイヤレス接続、ポート、トランシーバなどの、モバイル装置とＳＩＭを結合する代替手段の使用が企図される。６２０では、ＳＩＭ−ＡＴＡ装置のＳＩＭが、モバイル装置の空きＳＩＭソケットに挿入される。モバイル装置のＳＩＭは、ＳＩＭソケットの他方に同時に係合したままである。６３０では、ＳＩＭ−ＡＴＡと共に使用されるＳＩＭが検証される（例えば、アカウント番号、電話番号、加入者識別情報、．．．が検証される）。６４０では、ＳＩＭ−ＡＴＡのＳＩＭが、モバイル装置内にある間に活動化および／またはプログラミングされる。ＳＩＭ−ＡＴＡとの近距離ＲＦ伝送などを介して、ＳＩＭを活動化および／またはプログラミングすることに関連して使用されるデータをモバイル装置のＳＩＭから得ることができる（例えば、ＩＰアドレス、ＳＩＭ−ＡＴＡ装置番号などのデータを抽出する）。６５０では、ＳＩＭ−ＡＴＡのＳＩＭがモバイル装置から取り外され、ＳＩＭ−ＡＴＡ装置に挿入される。
【００３８】
図７を参照すると、本発明の一態様による１つのＳＩＭソケットを備えるモバイル装置を使用することによってＳＩＭ使用可能ＡＴＡ装置を活動化および／またはプログラミングする方法７００が示されている。７１０では、単一のＳＩＭソケットを備えるモバイル装置が提供される。７２０では、モバイル装置のＳＩＭがＳＩＭ−ＡＴＡのＳＩＭと置き換えられる。７３０では、ＳＩＭ−ＡＴＡのＳＩＭが検証される。より具体的には、モバイル装置のＳＩＭからのデータ（例えばアカウント番号、電話番号、．．．）を、ＳＩＭを活動化する要求と比較することができ、したがってＳＩＭ−ＡＴＡ装置が正しい個人に対して活動化されることが保証される。７４０では、ＳＩＭ−ＡＴＡ装置のＳＩＭが、モバイル装置に結合されている間に活動化および／またはプログラミングされる。７５０では、ＳＩＭがモバイル装置から取り外され、ＳＩＭ−ＡＴＡ装置に挿入される。７６０では、ＳＩＭ−ＡＴＡのプログラミングおよび／または活動化が完了したかどうかについて判定が行われる。プログラミングおよび／または活動化が完了したと判定される場合、方法は停止ブロックに達する。プログラミングおよび／または活動化が未完了である場合、７７０では、ＳＩＭ−ＡＴＡ装置がそのような動作を終了させることができる。具体的には、ＳＩＭ−ＡＴＡは、情報をそのＳＩＭにプログラミングし、かつ／または追加のデータをセルラネットワークに供給することができる。例えば、ＳＩＭ−ＡＴＡは、ＩＰアドレス、ＳＩＭ−ＡＴＡ装置番号などのデータを送信することができる。
【００３９】
次に図８を参照すると、本発明の一実施形態による通信システム８００のブロック図が示されている。システム８００は、加入者識別データ用のＳＩＭ８０６を組み込むＳＩＭ−ＡＴＡシステム８０４に接続されたアナログ電話８０２を含む。ＳＩＭ８０６は、上述の技法を使用することによってプログラミングおよび／または活動化される。ＳＩＭ−ＡＴＡシステム８０４は、ブロードバンド通信ネットワークを介して通信するケーブルモデム（ＣＭ）８１０（またはＤＳＬモデム、Ｔ１接続、．．．）へのインターフェースを提供するＨｏｍｅ  Ｇａｔｅｗａｙ（ＨＧＷ）ブロック８０８に接続する。ＨＧＷ８０８は、ホーム電話ネットワークと、ＬＡＮ、ＷＡＮ、ＷＷＡＮ、およびグローバル通信ネットワーク（例えばインターネット）に一般に関連するＩＰベースのネットワークとの間のインターフェースを実施する。ＣＭ８１０は、ネットワーク８１２、例えばインターネットへのインターフェースおよびＩＰ通信を実施する。第２ゲートウェイ８１４は、セルラサービスプロバイダのＭＳＣ（Ｍｏｂｉｌｅ  Ｓｅｒｖｉｃｅｓ  Ｓｗｉｔｃｈｉｎｇ  Ｃｅｎｔｅｒ）８１６をネットワーク８１２にインターフェースする。システム８００は、ＭＳＣ８１６からネットワーク８１２を介してＳＩＭ−ＡＴＡシステム８０４への逆方向の音声およびＩＰトラフィックにも対処する。
【００４０】
ユーザは、ＳＩＭ−ＡＴＡモジュール８０４をアナログ電話８０２とＨＧＷ８０８に接続する。次に、アナログ電話８０２を使用する任意の呼を、ＩＰネットワーク８１２を介してＭＳＣ８１６に配置することができる。同様に、ＳＩＭ８０６に関連する電話番号への任意のセルラ呼を、セルラネットワーク（図示せず）を介してＭＳＣ８１６に行うことができ、アナログ電話８０２のユーザがＶｏＩＰを使用して呼を受信することが可能となる。
【００４１】
ＳＩＭ−ＡＴＡ８０４およびＨＧＷ８０８を単一のユニットとして組み合わせ、本発明の実装に適したゲートウェイを有さないホームシステムおよび／またはビジネスシステムに対するそのような実装をさらに実施することができる。ＳＩＭ−ＡＴＡモジュール８０４、ＨＧＷ８０８、およびＣＭ８１０を単一のユニットとして組み合わせることができることをさらに理解されたい。
【００４２】
次に図９を参照すると、本発明の一実施形態によるネットワークアーキテクチャ通信システム９００のブロック図が示されている。加入者の住居９０２は、ＶｏＩＰトラフィックをＶｏＩＰゲートウェイ９０４に通信し、ＶｏＩＰゲートウェイ９０４は、ＩＰトラフィックをインターネットなどのグローバル通信ネットワーク９０６にインターフェースする。第２ゲートウェイ９０８は、インターネット９０６からＶｏＩＰトラフィックを受信し、それを管理ＩＰシステム９１０に転送する。セルラネットワーク９１２は、ＩＰシステム９１０からＩＰトラフィックを受信し、ＩＰ会話をセルフォン９１４に通信する。住居９０２は、ＶｏＩＰゲートウェイ９０４経由で公衆交換電話網（ＰＳＴＮ）９１６を介して電話信号を通信し、次いでセルラネットワーク９１２を介してセルフォン９１４に通信することもできる。システムは、セルラ呼出し元から住居９０２のアナログ電話の呼出し先への逆方向の音声トラフィックに対処する。ＰＳＴＮ９１６とインターネット９０６の一方または両方へのゲートウェイ９０４の相互接続を衛星システムで達成することができ、衛星システムでは、ゲートウェイ９０４からの信号がまず衛星に通信され、次いで互換地上トランシービング装置に通信される。
【００４３】
次に図１０を参照すると、本発明による住居ネットワークアーキテクチャを表すシステム１０００の図が示されている。システム１０００は、単一のブロードバンドパイプを介してすべての家庭通信の必要の通信を実施する。これには、有線であってもワイヤレスであっても、アナログとデジタルの両方のすべての電話サービスが含まれる。これには、すべてのＩＰデータトラフィックに関するコンピューティング接続がさらに含まれる。
【００４４】
システム１０００は、本発明による動作のための家庭環境内のすべてのサブシステムを含むホームシステム１００２と、グローバル通信ネットワーク１００４、例えばインターネットと、ホームシステム１００２に対する１つまたは複数のサービスを実施するプロバイダサービスシステム１００６という３つのシステムを含む。
【００４５】
家庭電話の必要に関して、すべての電話関係の通信、ＩＰベースと非ＩＰベースの通信トラフィックの両方を実施するシステムユニット１００８が設けられる。ユニット１００８は、様々な電話装置およびワイヤレス装置に対処することができる。有線ＩＰ通信および／またはワイヤレスＩＰ通信に既に適している装置では、ユニット１００８は、ホームインターネットゲートウェイ（ＨＩＧ）１０１０に対してインターフェースする。ＨＩＧ１０１０は、例えば、ＩＥＥＥ８０２．３およびＲＪ−４５コネクタを介するＩＰ電話１０１２、ＩＥＥＥ８０２．１１ａ／ｂ／ｇ／ｅ技術を用いた通信が可能なセルラ装置１０１４、およびそれに対する有線インターフェースおよび／またはワイヤレスインターフェース（例えばＩＥＥＥ８０２．１１ａ／ｂ／ｇ／ｅ技術を用いた通信）が可能なモバイル装置１０１６に対処する。
【００４６】
ユニット１００８は、アナログ電話１０２０のアナログ音声信号のアナログ−デジタル変換を実施するＡＴＡアダプタ１０１８も含む。ユニット１００８は、加入者識別およびアカウント情報に少なくともアクセスするためにＳＩＭモジュール１０２３に対してインターフェースするＩＰ構成要素１０２２を含む。ユニット１００８のホームブロードバンドサービス（ＨＢＳ）構成要素１０２４は、例えばＢｌｕｅｔｏｏｔｈ技術または同様の中距離ワイヤレス技術を使用してモバイル装置１０１６とのワイヤレス通信を実施する。ＨＢＳ１０２４は、ＨＩＧ１０１０およびインターネット１００４に対してもインターフェースし、ブロードバンドＩＰトラフィックと通信する。ＨＩＧ１０１０も、インターネット１００４に対してインターフェースし、例えばＩＥＥＥ８０２．１６に従ってＩＰトラフィックを通信する。ユニット１００８は、家庭へのメッセージングサービスのユーザ対話およびサポート用のディスプレイ／キーボード／キーパッド１０２６と、ＩＭＳ／ＳＩＰ（ＩＰ  Ｍｕｌｔｉｍｅｄｉａ  Ｓｕｂｓｙｓｔｅｍ／Ｓｅｓｓｉｏｎ  Ｉｎｉｔｉａｔｉｏｎ  Ｐｒｏｔｏｃｏｌ）プロキシ１０２８を含む。ＩＭＳは、通信ネットワークと共にＳＩＰを使用してプロバイダシステム１００６からマルチメディアサービスを提供するモバイルアーキテクチャフレームワークである。ＳＩＰは、２つのユーザエージェント（ＵＡ）間の好ましい通信方法および／またはベアラを確立するプロトコルである。ＳＩＰは、中間サーバをサポートするのに十分に適したテキストベースのシグナリングプロトコルである。ＳＩＰ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ（ＳＩＭＰＬＥ）は、Ｉｎｓｔａｎｔ  Ｍｅｓｓａｇｉｎｇ（ＩＭ）およびＰｒｅｓｅｎｃｅをサポートするＳＩＭプロトコルに対する拡張である。ＳＩＭＰＬＥは、シグナリングプロトコルとアプリケーションプロトコルの混合である。ＩＭＳは、通信方法選択のためのネットワークサポートを提供することができ、ＳＩＰ使用およびシステム機能の合意プロファイルを提供する。例えば、ＩＭＳは、ＵＡがセッションを確立することを試みる前に登録しなければならないことを要求することができる。
【００４７】
ユニット１００８は、セキュアトンネル１０３０経由でインターネット１００４を介して通信する。従来型通信は本質的にプライベートであるので、ＩＰベースのネットワークを介して通信するときにプライバシーを保証するためにトンネルが使用される。トンネル１０３０は、プロバイダシステム１００６のＩＰマルチメディアシステム１０３２にインターフェースし、システム１０３２も、ユニット１００８へのトンネルを介してマルチメディアサービスを提供する。トンネル１０３０を使用する代わりに、そのようなマルチメディアサービスをプロバイダシステム１００６から直接インターネット１００４に提供することもできる。プロバイダシステム１００６は、マルチメディアシステム１０３２と、（例えばフレームリレーを使用して）ＧＰＲＳシステム１０３４をインターネット１００４に相互接続し、セルラネットワークを使用したＧＰＲＳＩＰサービスを提供する基地局（ＢＳ）システム１０３６とに接続するＧＰＲＳ（Ｇｅｎｅｒａｌ  Ｐａｃｋｅｔ  Ｒａｄｉｏ  Ｓｙｓｔｅｍ、オールウェイズオンパケットデータサービス）ノードシステム１０３４も含むことができる。これにより、携帯電話を使用する１人の人が固定電話を使用する別の人と会話することが可能となる。ＢＳ１０３６は、（例えばＢｌｕｅｔｏｏｔｈプロトコルを使用して）携帯電話から送られた呼信号および音声をＩＰパケットに変換する。ＢＳ１０３６は、こうしたＩＰパケットをセルラ信号および音声コーデックに変換してセルラネットワークに、次いで固定電話に送出する。プロバイダシステム１００６は、インターネットアクセスのためにＰＳＴＮ１０４０を基地局１０３６にインターフェースするセルラサービス（ＣＳ）コア１０３８も含む。ＩＭＳ１０３２マルチメディアインフラストラクチャへのセキュアな経路指定を伴うローカルプロキシ１０２８は、ＣＳコア１０３８を迂回させることによってネットワーク最適化を可能にする。
【００４８】
例えば、呼出し元がＰＳＴＮに接続された標準的電話に呼を出し、被呼番号がセルラシステムに接続されたセルフォンであった場合、呼はまず、ＰＳＴＮからセルラシステムに送られる。セルラシステムは、その加入者記録をチェックし、セルラ加入者のセルフォンがＳＩＭ−ＡＴＡに登録されていることを発見する。セルラサービスプロバイダは、インターネット上でセキュアトンネルを介して呼をＳＩＭ−ＡＴＡに送る。ＳＩＭ−ＡＴＡは、ＳＩＭ−ＡＴＡに接続された通信装置のいずれかまたはすべてに呼を渡す。例えば、着信通信がＶｏＩＰ電話呼出しである場合、ＳＩＭ−ＡＴＡは、ワイヤレスリンクを介して呼を直接加入者のセルラフォンに送ることができる。ＳＩＭ−ＡＴＡは、（ＳＩＭ−ＡＴＡ  ＲＪ−１１ジャックのうちの１つに接続された）加入者の家庭電話にも同時に電話をかけることができる。このようにして、ＳＩＭ−ＡＴＡは、着信通信を送達する高い柔軟性を有する。同様に、加入者がＳＩＭ−ＡＴＡでサービスされる加入者の家庭電話から呼を出した場合、インターネットを介して呼をセルラネットワークに、セルラネットワークからその宛先に送ることができる。呼に関する請求情報をＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＡＴＡ１０１８内のＵ／ＳＩＭによって実施することができる。しかし、ユーザがＶｏＩＰを使用しないことを選んだ場合、通常通りＰＳＴＮを介して呼を送ることができる。
【００４９】
次に図１１を参照すると、本発明の一実施形態による企業ネットワークアーキテクチャ通信システム１１００のブロック図が示されている。この実施形態では、「ローカル」システム１１０２は、システムユニット１００８と同様の機能をいくつか有するローカルコーポレートユニット（ＬＣＵ）１１０４を含む。システム１１０２は、モバイル装置１１０８とのワイヤレス近距離通信、例えばＢｌｕｅｔｏｏｔｈ技術を実施するコーポレート基地局（ＣＢＳ）１１０６を含む。ＣＢＳ１１０６は、コーポレートサービスおよびＩＳＰ／インターネット１００４にアクセスするためにコーポレートイントラネット１１１０に接続する。イントラネット１１１０は、ワイヤレス通信技術、例えばＩＥＥＥ８０２．１１ａ／ｂ／ｇを使用してコーポレートＷＬＡＮ（ワイヤレスＬＡＮ）１１１２と通信する。ＷＬＡＮ１１１２も、例えばワイヤレス技術ＩＥＥＥ８０２．１１ｅを使用して、ワイヤレスモバイル装置１１０８とのワイヤレス通信を実施する。
【００５０】
ＬＣＵ１１０４は、プロバイダサービスシステム１００６へのインターネット１００４を介するＩＰトンネル１１１６経由のセキュアインターネットトンネリングを実現するＩＭＳ／ＳＩＰプロキシ１１１４（ＩＭＳ／ＳＩＰプロキシ１０２８と同様）も含む。セルラサービスプロバイダコア内のＩＭＳの配置により、モバイル端末用の広域ネットワーク内のマルチメディアサービスの可用性が可能となる。プロバイダサービスシステム１００６は、各機能を図１０で上述したＩＭＳシステム１０３２、ＧＰＲＳ１０３４、ＣＳコア１０３８、ＰＳＴＮ１０４０、およびＢＳ１０３６を含む。しかし、（企業実装での）ＣＢＳ１１０６およびＢＳ１０３６は、図１０に関する住居システムについて使用されたものとは異なる機能を含むことができることを理解されたい。コーポレートシステム１１０２は、ＬＣＵ１１０４と通信して外部世界へのＶｏＩＰＰＢＸ通信を実施するＰＢＸ（構内交換機）電話交換システム１１１８も含むことができる。ビジネスが１つまたは複数のアナログ電話を含む場合、ＬＣＵ１１０４は、ＶｏＩＰサービスを使用するときにビジネスを一意に識別するコーポレートＳＩＣ１１２０をさらに含むことができる。さらに、パーソナルＳＩＣを実装するようにＬＣＵ１１０４を設計することができ、選択されたコーポレートユーザが、ＶｏＩＰセルラサービスを使用するためにユーザ自身のＳＩＣを挿入することができる。あるいは、コーポレートＳＩＣ１１２０は、人を追加または削除する必要があるときに、アプリケーション更新をコーポレートＳＩＣ１１２０にダウンロードすることができるようにプログラム可能にすることもできる。したがって、ビジネスならびに／あるいは１人または複数のユーザは、本発明によるＶｏＩＰマルチメディアセルラサービスの利点を得ることができる。
【００５１】
次に図１２を参照すると、本発明の一実施形態によるホーム／スモールビジネス（ＨＳＢ）システム１２０２および企業システム１２０４機能を有するシステム１２００のブロック図が示されている。ＨＳＢシステム１２０２は、モバイル装置１２１２が例えばＢｌｕｅｔｏｏｔｈを使用してワイヤレスに通信することを可能にし、ポータブルコンピュータ１２１４が例えばＩＥＥＥ８０２．１１を使用して通信することを可能にするＰＣＡ（Ｐｅｒｓｏｎ  Ｃｏｖｅｒａｇｅ  Ａｒｅａ）１２１０を実施するホーム基地局１２０８がその上に配置されたローカルネットワーク１２０６を含む。ホームコンピュータ１２１６もローカルネットワーク１２０６上に配置される。ＶｏＩＰアダプタ１２１８は、ネットワーク１２０６に接続して、ローカルＩＰネットワーク１２０６を介して音声用のＩＰ電話１２２０の使用を可能にする。アダプタ１２１８も本発明のＳＩＭ−ＡＴＡ機能を含む。ＨＳＢシステム１２０２は、コンピュータ、モバイル装置、およびセルラ電話用のＩＭＳ統合構成要素１２２２も含む。アナログ電話１２２４は、従来の手段を使用してＰＳＴＮ１２２６に接続することができる。さらに、モバイル装置１２２８は、ローカルセルラワイヤレスシステム１２３０にワイヤレスに通信することができる。
【００５２】
ＨＳＢ１２０２は、ホームブロードバンドモデムまたはルータ１２３４を介してＩＳＰ１２３２に接続することによって固定ブロードバンドアクセスにインターフェースする。固定ブロードバンドアクセスには少なくとも、ケーブルモデムアクセス、およびＤＳＬ（デジタル加入者線）アクセス、ＩＥＥＥ８０２．１６などのワイヤレスが含まれる。ＰＳＴＮ１２２６とＩＳＰ１２３２はどちらも、ＶｏＩＰトラフィックを通信するためにＶｏＩＰゲートウェイ１２３６に接続する。ＶｏＩＰゲートウェイ１２３６とＩＳＰ１２３２はどちらも、インターネット１２３８を介してプロバイダサービスシステム基地局（ＢＳ）１２４０に通信する。ローカルセルラシステム１２３０およびＢＳ１２４０は、プロバイダのコアネットワーク（ＣＮ）１２４２に接続し、ＧＳＭシステム、ＵＭＴＳ（Ｕｎｉｖｅｒｓａｌ  Ｍｏｂｉｌｅ  Ｔｅｌｅｃｏｍｍｕｎｉｃａｔｉｏｎ  ｓｙｓｔｅｍ）システム、およびＩＭＳへの相互接続性を実施する。ＣＮ１２４２はまた、ＰＳＴＮ１２２６およびインターネット１２３８に直接接続する。
【００５３】
ローカルセルラシステム１２３０により、ＧＳＭ、ＥＤＧＥ（Ｅｎｈａｎｃｅｄ  Ｄａｔａ  ｆｏｒ  ＧＳＭ  Ｅｖｏｌｕｔｉｏｎ）、およびＷＣＤＭＡ（Ｗｉｄｅｂａｎｄ  ＣＤＭＡ、ＵＭＴＳ用のエアインターフェース）を介するＢＴＳ（Ｂａｓｅ  Ｔｒａｎｓｃｅｉｖｅｒ  Ｓｔａｔｉｏｎ）への適切なコンピュータおよびモバイル装置のワイヤレス接続性が可能となる。ＢＴＳから、システムは、ＢＳＣ（Ｂａｓｅ  Ｓｔａｔｉｏｎ  Ｃｏｎｔｒｏｌｌｅｒ）／ＲＮＣ（Ｒｏｕｔｉｎｇ  Ｎｅｔｗｏｒｋ  Ｃｏｎｔｒｏｌｌｅｒ）を介してＣＮ１２４２に接続する。
【００５４】
企業システム１２０４は、ＧＳＭ／ＥＤＧＥ／ＷＣＤＭＡ／ＷＣＯ（ワイヤレス通信オプション）サブシステム１２４４、ＩＭＳ統合サブシステム１２４６、コーポレートイントラネット１２４８、およびＰＢＸ１２５０を含む。図示していないが、企業システム１２０４は、本発明によるＶｏＩＰのアナログ電話用途のそれ自体のＣＢＳも含むことができる。コーポレートフォンは、イントラネット１２４８およびＰＢＸ１２５０への接続に適している。イントラネット１２４８は、（ＷＥＣ−Ｗｉｒｅｌｅｓｓ  Ｅｔｈｅｒｎｅｔ（登録商標）  Ｃｏｎｎｅｃｔｉｖｉｔｙを使用する）サブシステム１２４４を介する接続と、直接的な接続の両方でＣＮ１２４２に接続する。イントラネット１２４８はまた、メディアゲートウェイ１２５２を介してＰＢＸ１２５０に接続する。企業システム１２０４は通常、インターネット１２３５への直接固定ブロードバンドアクセスを有する。ＰＢＸ１２５０は、メディアゲートウェイ１２５４を介してＰＳＴＮ１２２６およびインターネットに接続する。
【００５５】
システム１２００は、ＩＭＳ統合を有するワイヤレス通信ホットスポット１２５６も含む。装置は、固定ブロードバンドアクセスを使用してＩＳＰ１２５８に接続することができる。ＩＳＰ１２５８もＣＮ１２４２およびインターネット１２３５に接続することができる。ホットスポットシステム１２５６はまた、ＶｏＩＰゲートウェイ１２６０を介してインターネット１２３５からＰＳＴＮ１２２６に接続することができる。
【００５６】
システム１２００はまた、ＩＭＳ統合を有するワイヤレスＷＡＮ（広域ネットワーク）１２６２も示し、その中に、ＩＳＰ１２５８と通信するＲＡＮ（リージョナルエリアネットワーク）１２６４も示されている。
【００５７】
次に図１３を参照すると、本発明によるパーソナルカバレッジエリア（ＰＣＡ）通信システム１３００の高レベルブロック図が示されている。ＰＣＡは、ユーザに関連する小型近距離セルである。システム１３００は、多種多様なモバイル装置に関するモバイル通信を実施するモバイルコアネットワーク（ＭＣＮ）１３０２を含む。ＭＣＮ１３０２は、すべての加入者データを格納するＧＳＭネットワーク内のデータベースであり、ローミングプロセスで重要な要素であるＨｏｍｅ  Ｌｏｃａｔｉｏｎ  Ｒｅｇｉｓｔｅｒ（ＨＬＲ）１３０４を含む。ＨＬＲ１３０４は、ユーザのセルラアカウントおよびプロファイル情報に関する検証源を提供するためにユーザのセルラプロバイダの記録によって維持される。ＭＣＮ１３０２はまた、ネットワークおよび外部ネットワーク内のモバイルユーザ間のサービスおよび調整を提供する交換機であるモバイル交換局（ＭＳＣ）１３０６も含む。ＭＳＣ１３０６は通常、ＢＳＣ（基地局コントローラ）、ＨＬＲ１３０４、ＶＬＲ１３０８、およびその他のＭＳＣ（図示せず）へのインターフェースを含む。
【００５８】
ＶＬＲ（ビジタ位置レジスタ）１３０８は、ユーザがその区域内でローミング中のセルラプロバイダによって維持されるローカルデータベースである。ＳＧＳＮ（Ｓｅｒｖｉｎｇ  ＧＰＲＳ  Ｓｕｐｐｏｒｔ  Ｎｏｄｅ）１３１０が、ＧＰＲＳ／ＵＭＴＳネットワーク内のＲＮＣ（Ｒａｄｉｏ  Ｎｅｔｗｏｒｋ  Ｃｏｎｔｒｏｌｌｅｒ）とコアネットワークとの間のゲートウェイであるＭＣＮ１３０２内に含まれる。
【００５９】
ＭＣＮ１３０２は、基地局コントローラ（ＢＳＣ）１３１４（いくつかのＢＴＳを制御することができる）、伝送ネットワーク１３１６、および基地局トランシーバ（ＢＴＳ）１３１８を備える基地局システム（ＢＳＳ）１３１２とインターフェースする。ＭＣＮ１３０２は、Ａ／Ｇｂプロトコルスタックを介してＢＳＳ１３１２にインターフェースする。ＢＳＳ１３１２は、ＧＳＭセル１３２０との通信を実施する。Ａ−ｂｉｓは、ネットワーク１３１６を介するＢＳＣ１３１４とＧＳＭセル１３２０との間の通信インターフェースである。セルラ装置１３２２を有するＧＳＭセル１３２０内のセルラユーザは、ＢＳＳ１３１２を介するエアプロトコルを使用してＭＣＮ１３０２にアクセスすることができる。
【００６０】
あるいは、ユーザは、Ｂｌｕｅｔｏｏｔｈ（ＢＴ）などの近距離通信技術を使用してＭＣＮ１３０２にアクセスすることもできる。装置１３２２がＢＴセル１３２４の範囲内にあるとき、Ｈｏｍｅ  Ｂａｓｅ  Ｓｙｓｔｅｍ（ＨＢＳ）１３２６への通信を行うことができ、ＨＢＳ１３２６はさらに、ブロードバンドネットワーク１３２８を介してＨＢＳＣ（Ｈｏｍｅ  Ｂａｓｅ  Ｓｔａｔｉｏｎ  Ｃｏｎｔｒｏｌｌｅｒ）１３３０に通信する。ＨＢＳＣ１３３０は、Ａ／Ｇｂプロトコルスタックを使用してＭＣＮ１３０２と通信する。
【００６１】
次いで、セル装置１３２２上のユーザは、インターネット１３３２を介して家庭ＳＩＭ−ＡＴＡ装置８０４およびアナログ電話８０２に対して、ＶｏＩＰによって本発明に従って実施される呼を作成することができ、または呼を受信することができる。次に図１４を参照すると、本発明に従って動作可能であるローカル基地局（ＬＢＳ）１４００が示されている。ＬＢＳ１４００は、すべてのオンボードオペレーションおよび機能を制御および処理するプロセッサ１４０２を含む。メモリ１４０４は、データと、ファームウェア１４０６に格納され、プロセッサ１４０２によって実施される１つまたは複数のアプリケーションの一時的格納のために、プロセッサ１４０２にインターフェースする。アナログ電話インターフェース１４０７は、システム１４００にアナログ電話および信号を接続することに対処する。ファームウェア１４０６はまた、ＬＢＳ１４００を初期化する際に実行されるスタートアップコードも格納する。通信構成要素１４０８は、プロセッサ１４０２とインターフェースして、外部システムとの有線／ワイヤレス通信を実施する。通信構成要素１４０８によって実施されないワイヤレス技術に対処するために、第２ワイヤレスインターフェース１４０９がプロセッサ１４０２に接続される。
【００６２】
ＬＢＳ１４００は、電話機能、例えば呼出し元ＩＤ機能およびセットアップ機能に関係するテキストおよびグラフィックスを表示し、ユーザ入力を行うためのディスプレイ／キーパッド／キーボード構成要素１４１０を含む。構成要素１４１０は、マルチメディアコンテンツの提示にも対処することができる。プロセッサ１４０２と通信してハードワイヤ接続を介するシリアル通信（例えばＵＳＢおよび／またはＩＥＥＥ１３９４）を実施するシリアルＩ／Ｏインターフェース１４１２が設けられる。シリアルＩ／Ｏインターフェース１４１２は、例えばＬＢＳ１４００の更新およびトラブルシューティングをサポートする。オーディオ機能はオーディオＩ／Ｏ構成要素１４１４を備え、Ｉ／Ｏ構成要素１４１４は、例えば記録されたデータまたは電話音声データに関係するオーディオ信号を出力するスピーカと、記録用音声信号および／または電話会話を入力するマイクロフォンとを含むことができる。
【００６３】
ＬＢＳ１４００は、カード１４１８の形状因子のＳＩＣを収容し、ＳＩＣカード１４１８をプロセッサ１４０２とインターフェースするスロットインターフェース１４１６を含む。しかし、ＬＢＳ１４００内にＳＩＣを製造することができ、ＬＢＳ１４００にデータをダウンロードすることによって更新を行えることを理解されたい。これは、本明細書に記載の家庭実施形態とコーポレート実施形態のどちらにも当てはまる。
【００６４】
ＬＢＳ１４００は、ＩＰネットワーク、例えばインターネット、コーポレートイントラネット、ホームネットワーク、パーソンエリアネットワークなどからＩＳＰまたはケーブルプロバイダを介してＩＰトラフィックを収容するＩＰインターフェース１４２０を含む。したがって、ＬＢＳ１４００でＶｏＩＰトラフィックを使用することができ、ＩＰベースのマルチメディアコンテンツを符号化フォーマットまたは復号化フォーマットで受信することができる。符号化マルチメディアコンテンツを復号化するためにビデオ処理構成要素１４２２を設けることができる。上記でその機能を説明したプロセッサ１４０３と通信するＩＭＳ／ＳＩＰプロキシサービス１４０３も設けられる。ＬＢＳ１４００はまた、電池および／またはＡＣ電力サブシステムの形態の電源１４２４も含み、電源１４２４は、電源Ｉ／Ｏ構成要素１４２６を介して外部電源または課金装置（図示せず）にインターフェースする。
【００６５】
上述の本発明の諸態様は、磁気／光学的に読取り可能／取外し可能なコンピュータディスクを含むコンピュータ可読媒体上に格納または配布することができ、インターネットまたは（ワイヤレスネットワークを含む）他のネットワークを介して電子的に配布することができる。本発明の部分または実施形態が通信ネットワークの固定要素内に常駐することができると共に、対応する部分が移動体通信装置上に常駐できることを当業者は理解されよう。本発明の諸態様に特有のデータ構造およびデータの伝送も本発明の範囲内に包含される。
【００６６】
次に図１５を参照すると、開示のアーキテクチャを実行するように動作可能なコンピュータのブロック図が示されている。本発明の様々な態様に関する追加の状況を与えるために、図１５および以下の議論は、本発明の様々な態様を実装することのできる適切なコンピューティング環境１５００の簡潔で一般的な説明を与えるものとする。上記では１つまたは複数のコンピュータ上で実行することのできるコンピュータ実行可能命令の一般的状況で本発明を説明したが、本発明を他のプログラムモジュールとの組合せ、および／またはハードウェアとソフトウェアの組合せとして実施できることを当業者は理解されよう。
【００６７】
一般に、プログラムモジュールは、特定のタスクを実施し、または特定の抽象データタイプを実装するルーチン、プログラム、コンポーネント、データ構造などを含む。さらに、単一プロセッサまたはマルチプロセッサコンピュータシステム、ミニコンピュータ、メインフレームコンピュータ、ならびにパーソナルコンピュータ、ハンドヘルドコンピューティング装置、マイクロプロセッサベースの、またはプログラム可能な消費者向け電子機器などを含む他のコンピュータシステム構成と共に本発明の方法を実施することができ、それぞれを１つまたは複数の関連する装置に動作可能に結合できることを当業者は理解されよう。
【００６８】
本発明の図示される態様を、いくつかのタスクが通信ネットワークを介してリンクされたリモート処理装置で実行される分散コンピューティング環境でも実施することができる。分散コンピューティング環境では、プログラムモジュールをローカルメモリ記憶装置とリモートメモリ記憶装置のどちらにも配置することができる。
【００６９】
コンピュータは通常、様々なコンピュータ可読媒体を含む。コンピュータ可読媒体は、コンピュータでアクセスすることができる入手可能などんな媒体でもよく、揮発性媒体と不揮発性媒体、取外し可能媒体と取外し不能媒体のどちらも含まれる。例えば、限定はしないが、コンピュータ可読媒体は、コンピュータ記憶媒体および通信媒体を含むことができる。コンピュータ記憶媒体には、コンピュータ可読命令、データ構造、プログラムモジュール、その他のデータなどの情報を記憶するための任意の方法または技術で実装された揮発性媒体と不揮発性媒体、取外し可能媒体と取外し不能媒体のどちらも含まれる。コンピュータ記憶媒体には、限定はしないが、ＲＡＭ、ＲＯＭ、ＥＥＰＲＯＭ、フラッシュメモリ、またはその他のメモリ技術、ＣＤ−ＲＯＭ、デジタルビデオディスク（ＤＶＤ）、またはその他の光ディスクストレージ、磁気カセット、磁気テープ、磁気ディスクストレージ、またはその他の磁気記憶装置、あるいは、所望の情報を格納するのに使用することができ、コンピュータでアクセスすることができる他のどんな媒体も含まれる。
【００７０】
通信媒体は一般に、コンピュータ可読命令、データ構造、プログラムモジュール、または他のデータを、搬送波やその他の移送機構などの被変調データ信号で実施し、その通信媒体にはどんな情報送達媒体も含まれる。「被変調データ信号」という用語は、その特性集合のうちの１つまたは複数を有する信号、または情報を信号内に符号化するように変化する信号を意味する。例えば、限定はしないが、通信媒体には、有線ネットワークやダイレクトワイヤード接続などの有線媒体、ならびに音響媒体、ＲＦ媒体、赤外線媒体、およびその他のワイヤレス媒体などのワイヤレス媒体が含まれる。上記のいずれの組合せもコンピュータ可読媒体の範囲内に含まれるべきである。
【００７１】
再び図１５を参照すると、コンピュータ１５０２を含む本発明の様々な態様を実装する例示的環境１５００が示されており、コンピュータ１５０２は、処理装置１５０４、システムメモリ１５０６、およびシステムバス１５０８を含む。システムバス１５０８は、限定はしないがシステムメモリ１５０６を含むシステム構成要素を処理装置１５０４に結合する。処理装置１５０４は、様々な市販のプロセッサのうちのいずれでもよい。デュアルマイクロプロセッサおよびその他のマルチプロセッサアーキテクチャを処理装置１５０４として使用することもできる。
【００７２】
システムバス１５０８は、様々な市販のバスアーキテクチャのいずれかを使用する、（メモリコントローラを有する、または有さない）メモリバス、周辺バス、およびローカルバスにさらに相互接続することのできるいくつかのタイプのバス構造のいずれでもよい。システムメモリ１５０６は、読取り専用メモリ（ＲＯＭ）１５１０およびランダムアクセスメモリ（ＲＡＭ）１５１２を含む。基本入出力システム（ＢＩＯＳ）が、ＲＯＭ、ＥＰＲＯＭ、ＥＥＰＲＯＭなどの不揮発性メモリ１５１０に格納され、ＢＩＯＳは、起動時などにコンピュータ１５０２内の要素間で情報を転送する助けとなる基本ルーチンを含む。ＲＡＭ１５１２は、データをキャッシュする静的ＲＡＭなどの高速ＲＡＭも含むことができる。
【００７３】
コンピュータ１５０２は、適切なシャーシ（図示せず）での外部使用のために構成することもできる内部ハードディスクドライブ（ＨＤＤ）１５１４（例えばＥＩＤＥ、ＳＡＴＡ）と、（例えば取外し可能ディスケット１５１８を読み書きするための）磁気フロッピィディスクドライブ（ＦＤＤ）１５１６と、（例えば、ＣＤ−ＲＯＭディスク１５２２を読み取り、またはＤＶＤなどの他の高容量光媒体を読み書きするための）光ディスクドライブ１５２０とをさらに含む。ハードディスクドライブ１５１４、磁気ディスクドライブ１５１６、および光ディスクドライブ１５２０を、それぞれハードディスクドライブインターフェース１５２４、磁気ディスクドライブインターフェース１５２６、および光ドライブインターフェース１５２８によってシステムバス１５０８に接続することができる。外部ドライブ実装のためのインターフェース１５２４には、ユニバーサルシリアルバス（ＵＳＢ）インターフェース技術とＩＥＥＥ１３９４インターフェース技術の少なくとも一方または両方が含まれる。
【００７４】
ドライブおよびその関連するコンピュータ可読媒体は、データ、データ構造、コンピュータ実行可能命令などの不揮発性記憶を実現する。コンピュータ１５０２では、ドライブおよび媒体は、適切なデジタルフォーマットの任意のデータの格納に対処する。上記のコンピュータ可読媒体の説明ではＨＤＤ、取外し可能磁気ディスケット、ＣＤやＤＶＤなどの取外し可能光媒体を参照するが、ｚｉｐドライブ、磁気カセット、フラッシュメモリカード、カートリッジなどのコンピュータで読取り可能なその他のタイプの媒体もこの例示的動作環境で使用でき、さらに、そのような媒体は、本発明の方法を実施するコンピュータ実行可能命令を含むことができることを当業者は理解されたい。
【００７５】
オペレーティングシステム１５３０、１つまたは複数のアプリケーションプログラム１５３２、他のプログラムモジュール１５３４、およびプログラムデータ１５３６を含むいくつかのプログラムモジュールをドライブおよびＲＡＭ１５１２に格納することができる。オペレーティングシステム、アプリケーション、モジュール、および／またはデータの全部または一部をＲＡＭ１５１２にキャッシュすることもできる。様々な市販のオペレーティングシステムまたはオペレーティングシステムの組合せと共に本発明を実装できることを理解されたい。
【００７６】
ユーザは、１つまたは複数の有線／ワイヤレス入力装置、例えばキーボード１５３８と、マウス１５４０などのポインティングデバイスとを介して、コンピュータ１５０２にコマンドおよび情報を入力することができる。他の入力装置（図示せず）には、マイクロフォン、ＩＲリモート制御、ジョイスティック、ゲームパッド、スタイラスペン、タッチスクリーンなどを含めることができる。上記およびその他の入力装置はしばしば、システムバス１５０８に結合される入力装置インターフェース１５４２を介して処理装置１５０４に接続されるが、パラレルポート、ＩＥＥＥ１３９４シリアルポート、ゲームポート、ＵＳＢポート、ＩＲインターフェースなどのその他のインターフェースによって接続することもできる。
【００７７】
モニタ１５４４またはその他のタイプのディスプレイ装置もまた、ビデオアダプタ１５４６などのインターフェースを介してシステムバス１５０８に接続される。モニタ１５４４に加えて、コンピュータは通常、スピーカやプリンタなどの他の周辺出力装置（図示せず）を含む。
【００７８】
コンピュータ１５０２は、リモートコンピュータ１５４８などの１つまたは複数のリモートコンピュータへの有線および／またはワイヤレス通信を介する論理接続を使用するネットワーク環境で動作することができる。リモートコンピュータ１５４８は、ワークステーション、サーバコンピュータ、ルータ、パーソナルコンピュータ、ポータブルコンピュータ、マイクロプロセッサベースのエンターテイメントアプライアンス、ピア装置、またはその他の共通ネットワークノードでよく、一般にはコンピュータ１５０２に関して説明した要素のうちの多数またはすべてを含むが、簡潔にするためにメモリ記憶装置１５５０だけを図示してある。図示する論理接続は、ローカルエリアネットワーク（ＬＡＮ）１５５２および／またはより大規模なネットワーク、例えば広域ネットワーク（ＷＡＮ）１５５４への有線／ワイヤレス接続性を含む。そのようなＬＡＮおよびＷＡＮネットワーキング環境は、オフィス、会社で一般的なものであり、イントラネットなどの企業全体のコンピュータネットワークを実施し、そのすべては、グローバル通信ネットワーク、例えばインターネットに接続することができる。
【００７９】
ＬＡＮネットワーキング環境で使用するとき、コンピュータ１５０２は、有線および／またはワイヤレス通信ネットワークインターフェースまたはアダプタ１５５６を介してローカルネットワーク１５５２に接続される。アダプタ１５５６は、ＬＡＮ１５５２への有線またはワイヤレス通信を実施することができ、ＬＡＮ１５５２は、ワイヤレスアダプタ１５５６と通信するために、その上に配置されたワイヤレスアクセスポイントも含むことができる。ＷＡＮネットワーキング環境で使用するとき、コンピュータ１５０２は、モデム１５５８を含むことができ、またはＷＡＮ上の通信サーバに接続され、またはインターネットなどによってＷＡＮ１５５４を介して通信を確立する他の手段を有する。モデム１５５８は内蔵または外付けの有線またはワイヤレス装置でよく、シリアルポートインターフェース１５４２を介してシステムバス１５０８に接続される。ネットワーク環境では、コンピュータ１５０２に関して示したプログラムモジュールまたはその部分を、リモートメモリ／記憶装置１５５０に格納することができる。図示したネットワーク接続は例であり、コンピュータ間の通信リンクを確立するその他の手段も使用できることを理解されよう。
【００８０】
コンピュータ１５０２は、ワイヤレス通信で動作可能に配置された任意のワイヤレス装置または実体、例えばプリンタ、スキャナ、デスクトップおよび／またはポータブルコンピュータ、携帯情報端末、通信衛星、ワイヤレスに検出可能なタグに関連する任意の装置または場所（例えば、キオスク、ニューススタンド、化粧室）、および電話と通信するように動作可能である。これには少なくとも、Ｗｉ−Ｆｉワイヤレス技術およびＢｌｕｅｔｏｏｔｈ（商標）ワイヤレス技術が含まれる。したがって、通信は、従来型ネットワークと同じく事前定義された構造でよく、または単に、少なくとも２つの装置間のアドホック通信でよい。
【００８１】
Ｗｉ−Ｆｉ、すなわちＷｉｒｅｌｅｓｓ  Ｆｉｄｅｌｉｔｙにより、家のソファ、ホテルの部屋のベッド、または仕事場の会議室からからワイヤなしのインターネットへの接続が可能となる。Ｗｉ−Ｆｉは、そのような装置、例えばコンピュータが、基地局範囲内のどこでも、室内および外でデータを送信および受信することを可能にするセルフォンのようなワイヤレス技術である。Ｗｉ−Ｆｉネットワークは、ＩＥＥＥ８０２．１１（ａ、ｂ、ｇなど）と呼ばれる無線技術を使用して、セキュアで信頼性が高く高速なワイヤレス接続性を実現する。Ｗｉ−Ｆｉネットワークを使用してコンピュータを互いに接続することができ、インターネットに接続することができ、（ＩＥＥＥ８０２．３またはＥｔｈｅｒｎｅｔ（登録商標）を使用する）有線ネットワークに接続することができる。Ｗｉ−Ｆｉネットワークは、無免許の２．４および５ＧＨｚ無線帯域で、１１Ｍｂｐｓ（８０２．１１ａ）または５４Ｍｂｐｓ（８０２．１１ｂ）のデータ転送速度で、または両方の帯域（デュアルバンド）を含む製品で動作し、したがってネットワークは、多くのオフィスで使用されている基本１０ＢａｓｅＴ有線Ｅｔｈｅｒｎｅｔ（登録商標）ネットワークと同様の現実世界性能を実現することができる。
【００８２】
上記で述べた事柄は本発明の例を含む。もちろん、本発明を説明するために構成要素または方法の想像できるあらゆる組合せを述べることは不可能であるが、本発明の多くの別の組合せおよび順列が可能であることを当業者は理解できる。したがって、本発明は、添付の特許請求の範囲の精神および範囲内に包含されるすべてのそのような代替実施形態、修正形態、変形形態を含むものとする。さらに、「含む（ｉｎｃｌｕｄｅ）」という用語が詳細な説明または特許請求の範囲で使用される範囲で、そのような用語は、「備える（ｃｏｍｐｒｉｓｉｎｇ）」という用語と同様に包括的であるものとする。「備える（ｃｏｍｐｒｉｓｉｎｇ）」が使用されるとき、特許請求の範囲で移行語として解釈されるからである。
【図面の簡単な説明】
【００８３】
【図１】本発明の一態様によるＳＩＭ使用可能ＡＴＡ装置と共に使用されるＳＩＭを活動化および／またはプログラミングするシステムのブロック図である。
【図２】本発明の一態様によるＳＩＭ−ＡＴＡ装置を活動化および／またはプログラミングするシステムのブロック図である。
【図３】本発明の一態様によるインターフェース構成要素を含むＳＩＭ−ＡＴＡ装置を活動化および／またはプログラミングするシステムのブロック図である。
【図４】本発明の一態様によるＳＩＭ−ＡＴＡ装置の活動化および／またはプログラミングと共に使用される追加の情報を収集するシステムのブロック図である。
【図５】本発明の一態様によるトークンを介するＳＩＭ−ＡＴＡ装置を活動化および／またはプログラミングする方法の流れ図である。
【図６】本発明の一態様による複数のＳＩＭソケットを介してＳＩＭ−ＡＴＡ装置を活動化および／またはプログラミングする方法の流れ図である。
【図７】本発明の一態様によるＳＩＭ−ＡＴＡ装置を活動化および／またはプログラミングする方法の流れ図である。
【図８】本発明の一態様による通信システムのブロック図である。
【図９】本発明の一態様による通信システムのブロック図である。
【図１０】本発明の一態様による住居ネットワークアーキテクチャを表すシステムの図である。
【図１１】本発明の一態様による企業ネットワークアーキテクチャ通信システムのブロック図である。
【図１２】本発明の一態様によるホーム／スモールビジネス（ＨＳＢ）システムおよび企業システム機能を有するシステムのブロック図である。
【図１３】本発明の一態様によるパーソナルカバレッジエリア通信システムの高レベルブロック図である。
【図１４】本発明の一態様に従って動作可能なローカル基地局を示す図である。
【図１５】本発明の一態様による例示的動作環境を示す図である。
【図１】
2008521279.tif 000003
【図２】
2008521279.tif 000004
【図３】
2008521279.tif 000005
【図４】
2008521279.tif 000006
【図５】
2008521279.tif 000007
【図６】
2008521279.tif 000008
【図７】
2008521279.tif 000009
【図８】
2008521279.tif 000010
【図９】
2008521279.tif 000011
【図１０】
2008521279.tif 000012
【図１１】
2008521279.tif 000013
【図１２】
2008521279.tif 000014
【図１３】
2008521279.tif 000015
【図１４】
2008521279.tif 000016
【図１５】
2008521279.tif 000017
【国際調査報告】
2008521279.tif 000018
2008521279.tif 000019
2008521279.tif 000020
2008521279.tif 000021
2008521279.tif 000022